(57)【要約】【課題】動物などが誤って操作部に触れたときの誤作動の可能性を低減させることのできる電気機器を提供する。【解決手段】電気機器の一例である空気清浄機１は、筐体１０と、操作部１４と、人検知センサ（検知部）１２と、判定部２１とを備えている。操作部１４は、筐体１０の上面部１０ｃに配置されている。人検知センサ１２は、筐体１０の所定方向における人の存在の有無を検知する。判定部２１は、人検知センサ１２によって筐体１０の所定方向に人の存在が検知されていないときに操作部１４への入力があった場合に、当該入力を異常な入力であると判定する。【選択図】図１
2020021296.tif 000002
【特許請求の範囲】
【請求項１】
筐体と、
前記筐体の上面に配置されている操作部と、
前記筐体の所定方向における人の存在の有無を検知する検知部と、
前記検知部によって前記筐体の前記所定方向に人の存在が検知されていないときに前記操作部への入力があった場合に、当該入力を異常な入力であると判定する判定部と
を備えている電気機器。
【請求項２】
前記検知部によって前記筐体の前記所定方向に人の存在が検知されていないときに前記操作部への入力があった場合に、当該入力を無効とする制御部をさらに備えている、請求項１に記載の電気機器。
【請求項３】
前記操作部は、少なくとも一つの操作ボタンを有しており、
前記制御部は、前記操作部への入力があり、かつ、前記操作部の前記操作ボタンが所定時間以上押圧された場合に、当該入力を無効とする、請求項２に記載の電気機器。
【請求項４】
前記操作部は、複数の操作ボタンを有しており、
前記制御部は、前記操作部への入力があり、かつ、所定時間内に前記操作部の前記複数の操作ボタンが押圧された場合に、当該入力を無効とする、請求項２に記載の電気機器。
【請求項５】
前記複数の操作ボタンが同時に押圧された場合に、当該入力を無効とする、請求項４に記載の電気機器。
【請求項６】
前記判定部が異常な入力と判定したときにその旨を報知する報知部をさらに備えている、請求項１から５の何れか１項に記載の電気機器。
【請求項７】
前記検知部は、前記筐体の正面から所定距離以内の人の存在の有無を検知する、請求項１から６の何れか１項に記載の電気機器。
【発明の詳細な説明】
【技術分野】
【０００１】
本発明は、空気清浄機、洗濯機、炊飯器、オーディオ機器、ヒータなどの電気機器に関する。
【背景技術】
【０００２】
空気清浄機は、室内の空気を取り込み、フィルタなどを用いて取り込んだ空気を清浄化し、室内へ放出する装置である。このような空気清浄機として、例えば、特許文献１に示すように、本体の前面上部に操作部を備え、本体の上部背面側に吹出口を備えたものが知られている。
【０００３】
ところで、近年、屋内でペットとして猫などの小動物を飼う家庭が増えている。猫などの小動物が存在する室内に空気清浄機を設置すると、空気清浄機本体の上面にある吹き出し口に小動物が飛び乗り、本体上部に配置された操作部が操作される可能性がある。
【０００４】
特許文献１に開示された空気清浄機は、本体１の上端部９を、前後に傾斜面１１をなす稜線形状としている。これにより、空気清浄機の本体に飼い猫などの小動物が乗れないようにして、本体上部に設けた操作部が誤操作されるのを防いでいる。
【先行技術文献】
【特許文献】
【０００５】
【特許文献１】特開２００９−３４６２９号公報
【発明の概要】
【発明が解決しようとする課題】
【０００６】
しかし、空気清浄機の本体の上面を特許文献１のような形状とした場合であっても、例えば、小動物が高所から上面に飛び降りたり、上面に向かって飛び上がったりした場合などに、小動物が本体部の上面に触れる可能性は避けられない。このとき、小動物が操作部に触れると、操作部に対する入力が行われ、空気清浄機が誤作動する可能性がある。
【０００７】
このような小動物による機器の誤作動は、空気清浄機のみならず、機器の上面に操作部が設けられている他の電気機器においても起こり得る。
【０００８】
そこで、本発明では、動物などが誤って操作部に触れたときの誤作動の可能性を低減させることのできる電気機器を提供することを目的とする。
【課題を解決するための手段】
【０００９】
本発明の一局面にかかる電気機器は、筐体と、前記筐体の上面に配置されている操作部と、前記筐体の所定方向における人の存在の有無を検知する検知部と、前記検知部によって前記筐体の前記所定方向に人の存在が検知されていないときに前記操作部への入力があった場合に、当該入力を異常な入力であると判定する判定部とを備えている。
【００１０】
上記の本発明の一局面にかかる電気機器は、前記検知部によって前記筐体の前記所定方向に人の存在が検知されていないときに前記操作部への入力があった場合に、当該入力を無効とする制御部をさらに備えていてもよい。
【００１１】
上記の本発明の一局面にかかる電気機器において、前記操作部は、少なくとも一つの操作ボタンを有しており、前記制御部は、前記操作部への入力があり、かつ、前記操作部の前記操作ボタンが所定時間以上押圧された場合に、当該入力を無効としてもよい。
【００１２】
上記の本発明の一局面にかかる電気機器において、前記操作部は、複数の操作ボタンを有しており、前記制御部は、前記操作部への入力があり、かつ、所定時間内に前記操作部の前記複数の操作ボタンが押圧された場合に、当該入力を無効としてもよい。さらに、前記制御部は、前記複数の操作ボタンが同時に押圧された場合に、当該入力を無効としてもよい。
【００１３】
上記の本発明の一局面にかかる電気機器は、前記判定部が異常な入力と判定したときにその旨を報知する報知部をさらに備えていてもよい。
【００１４】
上記の本発明の一局面にかかる電気機器において、前記検知部は、前記筐体の正面から所定距離以内の人の存在の有無を検知するものであってもよい。
【発明の効果】
【００１５】
本発明の一局面にかかる電気機器によれば、動物などが誤って操作部に触れたときの誤作動の可能性を低減させることができる。
【図面の簡単な説明】
【００１６】
【図１】本発明の一実施形態にかかる空気清浄機の概略構成を示す断面模式図である。
【図２】本発明の一実施形態にかかる空気清浄機の内部構成を示すブロック図である。
【図３】第１の実施形態にかかる空気清浄機において操作部への入力が行われたときの処理の流れを示すフローチャートである。
【図４】第２の実施形態にかかる空気清浄機において操作部への入力が行われたときの処理の流れを示すフローチャートである。
【図５】第３の実施形態にかかる空気清浄機の概略構成を示す上面模式図である。
【図６】図５に示す空気清浄機の内部構成を示すブロック図である。
【図７】第４の実施形態にかかる空気清浄機において操作部への入力が行われたときの処理の流れを示すフローチャートである。
【図８】第５の実施形態にかかる電気機器の概略構成を示す模式図である。
【発明を実施するための形態】
【００１７】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１８】
＜第１の実施形態＞
本実施形態では、本発明の電気機器の一例である空気清浄機を例に挙げて説明する。但し、本発明の実施態様は、空気清浄機に限定はされない。本発明は、装置の本体部の上面に操作部が配置されているあらゆる電気機器（例えば、空気清浄機、洗濯機、炊飯器、オーディオ機器、ヒータなど）に適用可能である。
【００１９】
（空気清浄機の構成）
先ず、本実施の形態にかかる空気清浄機１の全体構成について、図１および図２を用いて説明する。図１は、空気清浄機１の側方断面模式図である。図２には、空気清浄機１の内部構成を示す。
【００２０】
図１に示すように、空気清浄機１の外形は、筐体１０で形成されている。筐体１０は、前面部１０ａ、背面部１０ｂ、上面部１０ｃ、および側面部（図示せず）などで構成されている。空気清浄機１を通常の使用時の状態に設置したときに、前面部１０ａは前面（正面）側に位置し、背面部１０ｂは背面側に位置し、上面部１０ｃは上方側に位置する。前面部１０ａには、風の吹き出し口（第２吹き出し口３６）が設けられている。また、前面部１０ａの上部には、人感センサなどの人検知センサ１２が設けられている。上面部１０ｃには、風の吹き出し口（第１吹き出し口３３）が設けられているとともに、操作部１４が配置されている。
【００２１】
空気清浄機１は、筐体１０の他に、送風機１１、人検知センサ（検知部）１２、ダンパ１３、操作部１４、スピーカ（報知部）１５、制御部２０、各送風路３１・３２・３４、およびフィルタ（図示せず）などを備えている。
【００２２】
送風機１１は、筐体１０内に形成された送風路３１内に配置されている。送風機１１は、空気清浄機１が設置されている室内の空気を取り込み、フィルタ（図示せず）を通過させた後、各吹き出し口３３・３６から送出させるという空気の流れ（風）形成する。これにより、室内の空気は、空気清浄機１を経由して循環する。送風機１１は、制御部２０によって、運転の開始／停止、および風量が制御される。
【００２３】
人検知センサ１２は、筐体１０の前面部１０ａの上方に配置されている。人検知センサ１２は、空気清浄機１の正面（前面部１０ａ側）における人の存在の有無を検知するセンサである。人検知センサ１２は、例えば、人感センサ、測距センサ、およびカメラなどで構成されている。これらの各種センサを１種類のみ用いてもよいし、複数組み合わせて用いてもよい。人感センサは、例えば、感熱センサ、動きセンサ、赤外線センサなどである。
【００２４】
人検知センサ１２の感度は、センサの配置位置から所定距離（例えば、１メートルから１．５メートル）の範囲内における人の存在を検知できる程度に設定されることが好ましい。これにより、人検知センサ１２の検知対象を、空気清浄機１の操作（すなわち、操作部１４への入力）を行うことを目的として筐体１０の前面部１０ａに存在する人に絞ることができる。そして、空気清浄機１の操作を行う目的以外で室内に存在する人については、検知対象から外すことができる。
【００２５】
なお、本実施形態では、人検知センサ１２は、空気清浄機１の前面部１０ａ側に配置され、空気清浄機１の主として正面側の所定距離の範囲内における人の存在を検知している。しかし、別の態様では、人検知センサ１２は、空気清浄機１の正面側だけでなく、筐体１０の側面部および背面部１０ｂの所定距離の範囲内における人の存在の有無を検知するものであってもよい。すなわち、人検知センサ１２は、空気清浄機１の周囲の所定距離の範囲内における人の存在の有無を検知するものであってもよい。
【００２６】
ダンパ１３は、送風路内の送風機１１と第１吹き出し口３３との間（例えば、送風路３１と上方送風路３２との境界付近）に配置されている。ダンパ１３は、制御部２０によって開閉動作が実行される。ダンパ１３が開閉動作を行うことで、第１吹き出し口３３への送風経路を開放したり、塞いだりすることができる。
【００２７】
操作部１４は、筐体１０の上面部１０ｃに配置されている。ユーザは、操作部１４を操作することで空気清浄機１の運転状態を変更することができる。操作部１４は、例えば、上面部１０ｃの前面側に配置されている。
【００２８】
スピーカ１５は、制御部２０からの信号に基づいて、音声を出力する。例えば、スピーカ１５は、空気清浄機１が運転モードを変更するとき（例えば、通常運転から省エネ運転に移行するときなど）に、その旨のメッセージ音を出力することができる。また、スピーカ１５は、筐体１０の前面部１０ａに人がいないときに操作部１４に入力があった場合（すなわち、判定部２１によって異常な入力であると判定されたとき）に、その旨を報知するメッセージをユーザに対して発することもできる。
【００２９】
制御部２０は、空気清浄機１内の各構成部品と接続され、これらの制御を行う。制御部２０は、例えば、筐体１０内に配置された電装品ユニット内に配置される。制御部２０内には、メモリ２５、およびタイマ２６などが備えられている。また、制御部２０内には、筐体１０の正面に人がいないときに操作部１４に入力があった場合に、当該入力を異常な入力であると判定する判定部２１が設けられている。
【００３０】
メモリ２５は、ＲＯＭ（Read Only Memory）及びＲＡＭ（Random Access Memory）を含む。メモリ２５は、空気清浄機１の動作プログラムや設定データを記憶するとともに制御部２０による演算結果を一時記憶する。タイマ２６は、必要に応じて、制御部２０内で行われる処理の時間、空気清浄機１内の各構成部材の動作時間などを計測する。
【００３１】
また、各送風路３１・３２・３４は、筐体１０内に形成されており、送風機１１によって生成される風が通過する。送風路３１は、筐体１０内の下方から中央にかけて形成されている。送風路３１の背面側には、フィルタ（図示せず）が配置されている。送風路３１内には、送風機１１が配置されている。
【００３２】
上方送風路３２は、送風路３１の上方に位置する。上方送風路３２の最下流側には、第１吹き出し口３３が設けられている。すなわち、上方送風路３２は、送風機１１で生成される風を、上面部１０ｃに設けられた第１吹き出し口３３へと導く送風路である。第１吹き出し口３３は、例えば、筐体１０の上面部１０ｃの背面側に位置する。したがって、上方送風路３２は、筐体１０内の前方側に位置する送風路３１から後方側へ向けて筐体１０内を斜めに通っている。これにより、第１吹き出し口３３からは、斜め後方へ風が吹き出される。斜め後方へ風が吹き出されることで、コアンダ気流が発生し、部屋の空気を循環させる効果が得られる。
【００３３】
前方送風路３４は、送風路３１の上方前方側に位置する。前方送風路３４の最下流側には、第２吹き出し口３６が設けられている。すなわち、前方送風路３４は、送風機１１で生成される風を、前面部１０ａに設けられた第２吹き出し口３６へと導く送風路である。
【００３４】
フィルタは、例えば、筐体１０内の背面側に配置されている。フィルタは、微細な網目状の構造を有しており、空気清浄機１内に取り込まれた空気中に含まれる塵埃、花粉などのアレル物質、空気汚染の原因となる微小粒子状物質などを補足する。また、フィルタは、脱臭機能を有する素材で形成されていてもよい。筐体１０の背面部１０ｂから取り込まれた空気は、フィルタを通過した後、各送風路３１・２３・３４を通って各吹き出し口３３・３６から吹き出される。これにより、空気清浄機１内に取り込まれた空気を清浄化し、室内へ放出することができる。
【００３５】
（空気清浄機の制御方法）
続いて、操作部１４への入力が行われたときの人検知センサ１２の検知結果に応じて、制御部２０および判定部２１が空気清浄機１内の各種機器を制御する方法について、図１から図３を参照しながら説明する。図３は、操作部１４への入力が行われたときの制御部２０および判定部２１における処理の流れを示すフローチャートである。
【００３６】
図３に示す処理は、操作部１４に対して何らかの入力が行われたときに開始される。この段階を、ステップＳ１１とする。このステップＳ１１では、操作部１４に設けられている各種操作ボタンが押された場合に、制御部２０が、操作部１４に対して入力があったと認識する。
【００３７】
次に、制御部２０内の判定部２１によって、操作部１４への入力が正常な入力であるか異常な入力であるかの判定が行われる。ここで、正常な入力とは、空気清浄機１のユーザ（操作者）による意図的な入力のことを意味する。また、異常な入力とは、ユーザ（操作者）による意図的な入力ではない入力のことを意味する。異常な入力としては、例えば、ペットとして飼われている猫Ａなどの小動物が操作部１４上に乗ったことによって実行される入力、あるいは、小さな子供が筐体１０の操作部１４上におもちゃなどの物体を置いたことによって実行される入力などが挙げられる。
【００３８】
具体的には、判定部２１は、人検知センサ１２の検知結果に基づいて、筐体１０の前面部１０ａの所定領域内に人が存在するか否かを確認する（ステップＳ１２）。
【００３９】
そして、筐体１０の前面部１０ａの所定領域内に人が存在する場合（ステップＳ１２でＹＥＳ）、判定部２１は、ステップＳ１１における操作部１４への入力が正常な入力であると判定する（ステップＳ１３）。その後、制御部２０は、ステップＳ１１での操作部１４への入力内容にしたがって空気清浄機１内の各種機器を制御する（ステップＳ１４）。これにより、空気清浄機１では、ユーザの操作内容に沿って、ユーザの所望とする動作が実行される。
【００４０】
一方、筐体１０の前面部１０ａの所定領域内に人が存在しない場合（ステップＳ１２でＮＯ）、判定部２１は、ステップＳ１１における操作部１４への入力が異常な入力であると判定する（ステップＳ１５）。そして、制御部２０は、ステップＳ１１での操作部１４への入力内容を無効とする（ステップＳ１６）。すなわち、制御部２０は、ステップＳ１１における入力操作に基づく制御を実行しない。その後、制御部２０は、スピーカ１５に対して操作部１４に対して異常な入力があったことを報知させる（ステップＳ１７）。このときのスピーカ１５からの報知メッセージとしては、例えば、「操作部が誤操作されました」、「ただ今の入力操作を無効にしました」、あるいは、「操作部上に異物が存在します」などとすることができる。
【００４１】
（第１の実施形態のまとめ）
以上のように、本実施形態にかかる空気清浄機１は、筐体１０と、操作部１４と、人検知センサ（検知部）１２と、判定部２１とを備えている。筐体１０は空気清浄機１の外形を形成している。操作部１４は、筐体１０の上面部１０ｃに配置されている。人検知センサ１２は、筐体１０の正面における人の存在の有無を検知する。判定部２１は、筐体１０の正面に人がいないときに操作部１４に入力があった場合に、当該入力を異常な入力であると判定する。
【００４２】
そして、判定部２１によって操作部１４への入力が異常な入力であると判定された場合には、空気清浄機１内の制御部２０は、その入力操作を無効とするとともに、スピーカ１５からその旨を報知させる。
【００４３】
以上の構成によれば、人検知センサ１２によって筐体１０の正面に人の存在が検知されていないときに、操作部１４に対して入力があった場合に、当該入力を異常な入力と判定し、その入力内容に基づく動作が実行されないように制御することができる。これにより、猫Ａなどが誤って操作部１４に触れたときの電気機器２０１の誤作動の可能性を低減させることができる。
【００４４】
＜第２の実施形態＞
続いて、本発明の第２の実施形態について説明する。第２の実施形態にかかる空気清浄機１では、操作部１４への入力が行われたときの制御部２０および判定部２１における処理の流れが第１の実施形態とは異なっている。それ以外の構成については、第１の実施形態と同様の構成を適用することができる。そこで、以下では、第１の実施形態とは異なる構成を中心に説明する。
【００４５】
図４には、第２の実施形態にかかる空気清浄機１において、操作部１４への入力が行われたときの制御部２０および判定部２１における処理の流れを示す。
【００４６】
第１の実施形態と同様に、図４に示す処理は、操作部１４に対して何らかの入力が行われたときに開始される。この段階を、ステップＳ２１とする。このステップＳ２１では、操作部１４に設けられている各種操作ボタンが押された場合に、制御部２０が、操作部１４に対して入力があったと認識する。
【００４７】
次に、制御部２０内の判定部２１によって、操作部１４への入力が正常な入力であるか異常な入力であるかの判定が行われる。
【００４８】
具体的には、判定部２１は、人検知センサ１２の検知結果に基づいて、筐体１０の前面部１０ａの所定領域内に人が存在するか否かを確認する（ステップＳ２２）。
【００４９】
そして、筐体１０の前面部１０ａの所定領域内に人が存在する場合（ステップＳ２２でＹＥＳ）、判定部２１は、ステップＳ２１における操作部１４への入力が正常な入力であると判定する（ステップＳ２３）。その後、制御部２０は、ステップＳ２１での操作部１４への入力内容にしたがって空気清浄機１内の各種機器を制御する（ステップＳ２４）。これにより、空気清浄機１では、ユーザの操作内容に沿って、ユーザの所望とする動作が実行される。
【００５０】
一方、筐体１０の前面部１０ａの所定領域内に人が存在しない場合（ステップＳ２２でＮＯ）、判定部２１は、操作部１４に設けられた操作ボタンが所定時間（例えば、５秒間から１０秒間までのいずれかの期間）以上押し続けられているか否かを判定する（ステップＳ２５）。操作ボタンの押圧時間は、タイマ２６によって計測される。
【００５１】
そして、操作ボタンが所定時間以上押し続けられている場合（ステップＳ２５でＹＥＳ）には、判定部２１は、ステップＳ２１における操作部１４への入力が異常な入力であると判定する（ステップＳ２６）。そして、制御部２０は、ステップＳ２１での操作部１４への入力内容を無効とする（ステップＳ２７）。その後、制御部２０は、スピーカ１５に対して操作部１４に対して異常な入力があったことを報知させる（ステップＳ２８）。
【００５２】
また、操作ボタンが押されている時間が所定時間未満の場合（ステップＳ２５でＮＯ）には、判定部２１は、ステップＳ２１における操作部１４への入力が正常な入力であると判定する（ステップＳ２３）。そして、制御部２０は、ステップＳ２１での操作部１４への入力内容にしたがって空気清浄機１内の各種機器を制御する（ステップＳ２４）。これにより、空気清浄機１では、ユーザの操作内容に沿って、ユーザの所望とする動作が実行される。
【００５３】
以上のように、本実施形態では、人検知センサ１２によって筐体１０の正面に人の存在が検知されなかった場合であっても、操作ボタンが押されている時間が通常の操作時の押圧時間と同程度（例えば、５秒未満）であった場合には、操作部１４への入力が正常な入力であると判定される。これにより、何らかの原因で人検知センサ１２が筐体１０の正面の人の存在を検知できなかった場合であっても、判定部２１は、操作ボタンの押圧時間に基づいて正常な入力であると認識し、操作内容にしたがってユーザの所望とする動作を実行することができる。
【００５４】
一方、操作ボタンが押されている時間が、通常の操作時の押圧時間を逸脱する程度に長い場合（例えば、５秒以上）には、判定部２１は、操作部１４への入力が異常な入力であると判定する。これにより、猫Ａなどが操作部１４上に居座った場合などに起こり得る空気清浄機１の誤作動の可能性を低減させることができる。
【００５５】
＜第３の実施形態＞
続いて、本発明の第３の実施形態について説明する。第３の実施形態にかかる空気清浄機１０１では、筐体１０の前面部１０ａに測距センサ１１２が備えられている構成について説明する。以下では、第１の実施形態とは異なる構成を中心に説明する。
【００５６】
図５では、第３の実施形態にかかる空気清浄機１０１を上方から見た場合の構成を模式的に示す。図６には、空気清浄機１０１の内部構成を示す。
【００５７】
空気清浄機１０１は、筐体１０、送風機１１、測距センサ（検知部）１１２、ダンパ１３、操作部１４、スピーカ（報知部）１５、制御部２０、各送風路３１・３２・３４（図１参照）、およびフィルタ（図示せず）などを備えている。
【００５８】
本実施形態では、空気清浄機１０１の正面（前面部１０ａ側）における人の存在の有無を検知するセンサとして、測距センサ１１２が設けられている。測距センサ１１２は、筐体１０の前面部１０ａの上方に配置されている。測距センサ１１２は、センサの配置位置から検知対象の物体までの距離を測定することによって、筐体１０の正面から所定距離以内の人の存在の有無を検知することができる。
【００５９】
例えば、測距センサ１１２の検知範囲を、センサの配置位置から１メートル以上１．５メートル以下の何れかの距離以内とすることができる。これにより、測距センサ１１２は、空気清浄機１０１の操作（すなわち、操作部１４への入力）を行うことを目的として筐体１０の前面部１０ａに存在する人を検知することができる。一方、空気清浄機１０１の操作を行う目的以外で室内に存在する人については、センサの検知範囲外に存在する可能性が高いため、検知対象から外すことができる。
【００６０】
なお、測距センサ１１２は、人の検知だけでなく、物の検知を行うことも可能である。したがって、より具体的には、測距センサ１１２は、筐体１０の正面から所定距離以内の人の存在の有無を検知するセンサである。
【００６１】
そこで、測距センサ１１２とともに人感センサを配置することで、測距センサ１１２の検知範囲内に存在する物体が人であるか否かを検知することも可能となる。
【００６２】
測距センサ１１２以外の構成については、第１の実施形態で説明した構成と同様の構成を適用することができる。
【００６３】
図５に示すように、測距センサ１１２は、筐体１０の前面部１０ａの左右方向の略中央位置に配置されている。そして、筐体１０の上面部１０ｃの前面側に操作部１４が配置され、操作部１４の背面側に第１吹き出し口３３が配置されている。また、図５では、測距センサ１１２の検知範囲を模式的に示す。
【００６４】
第１の実施形態と同様に、制御部２０内には、判定部２１、メモリ２５、およびタイマ２６などが備えられている（図６参照）。判定部２１は、筐体１０の正面から所定距離以内に人の存在が検知されないときに操作部１４に入力があった場合に、当該入力を異常な入力であると判定する。
【００６５】
操作部１４への入力が行われたときの制御部２０および判定部２１における処理は、第１および第２の実施形態において図３および４を参照しながら説明した方法と同様の方法が適用できる。
【００６６】
以上の構成によれば、測距センサ１１２によって筐体１０の周囲の所定範囲内に人の存在が検知されていないときに操作部１４に対して入力があった場合に、当該入力を異常な入力と判定し、その入力内容に基づく動作が実行されないように制御することができる。これにより、猫Ａなどが誤って操作部１４に触れたときの空気清浄機１０１の誤作動の可能性を低減させることができる。
【００６７】
＜第４の実施形態＞
続いて、本発明の第４の実施形態について説明する。第４の実施形態にかかる空気清浄機１では、操作部１４への入力が行われたときの制御部２０および判定部２１における処理の流れが第２の実施形態とは異なっている。それ以外の構成については、第２の実施形態と同様の構成を適用することができる。
【００６８】
図７には、第４の実施形態にかかる空気清浄機１において、操作部１４への入力が行われたときの制御部２０および判定部２１における処理の流れを示す。本実施形態では、操作部１４は、複数の操作ボタンを有している。
【００６９】
第１の実施形態と同様に、図７に示す処理は、操作部１４に対して何らかの入力が行われたときに開始される。この段階を、ステップＳ３１とする。このステップＳ３１では、操作部１４に設けられている複数の操作ボタンの何れかが押された場合に、制御部２０が、操作部１４に対して入力があったと認識する。
【００７０】
次に、制御部２０内の判定部２１によって、操作部１４への入力が正常な入力であるか異常な入力であるかの判定が行われる。
【００７１】
具体的には、判定部２１は、人検知センサ１２の検知結果に基づいて、筐体１０の前面部１０ａの所定領域内に人が存在するか否かを確認する（ステップＳ３２）。
【００７２】
そして、筐体１０の前面部１０ａの所定領域内に人が存在する場合（ステップＳ３２でＹＥＳ）、判定部２１は、ステップＳ２１における操作部１４への入力が正常な入力であると判定する（ステップＳ３３）。その後、制御部２０は、ステップＳ２１での操作部１４への入力内容にしたがって空気清浄機１内の各種機器を制御する（ステップＳ３４）。これにより、空気清浄機１では、ユーザの操作内容に沿って、ユーザの所望とする動作が実行される。
【００７３】
一方、筐体１０の前面部１０ａの所定領域内に人が存在しない場合（ステップＳ３２でＮＯ）、判定部２１は、操作部１４に設けられた複数の操作ボタンが同時に押されたか否かを判定する（ステップＳ３５）。
【００７４】
そして、複数の操作ボタンが同時に押された場合（ステップＳ３５でＹＥＳ）には、判定部２１は、ステップＳ２１における操作部１４への入力が異常な入力であると判定する（ステップＳ３６）。そして、制御部２０は、ステップＳ２１での操作部１４への入力内容を無効とする（ステップＳ３７）。その後、制御部２０は、スピーカ１５に対して操作部１４に対して異常な入力があったことを報知させる（ステップＳ３８）。
【００７５】
また、複数の操作ボタンが同時に押されていない（すなわち、一度に一つの操作ボタンのみが押された）場合（ステップＳ３５でＮＯ）には、判定部２１は、ステップＳ２１における操作部１４への入力が正常な入力であると判定する（ステップＳ３３）。そして、制御部２０は、ステップＳ２１での操作部１４への入力内容にしたがって空気清浄機１内の各種機器を制御する（ステップＳ３４）。これにより、空気清浄機１では、ユーザの操作内容に沿って、ユーザの所望とする動作が実行される。
【００７６】
以上のように、本実施形態では、人検知センサ１２によって筐体１０の正面に人の存在が検知されなかった場合であっても、１回の操作部１４への入力時に１つの操作ボタンが押された場合には、ユーザによる意図的な入力操作である可能性が高い。そこで、判定部２１は、操作部１４への入力が正常な入力であると判定する。これにより、何らかの原因で人検知センサ１２が筐体１０の正面の人の存在を検知できなかった場合であっても、判定部２１は、ユーザによる正常な入力であると認識し、操作内容にしたがってユーザの所望とする動作を実行することができる。
【００７７】
一方、人検知センサ１２によって筐体１０の正面に人の存在が検知されなかった場合であり、かつ、操作部１４上の複数の操作ボタンが同時に押された場合には、猫Ａなどの動物の足による偶発的な入力である可能性が高い。これは、動物や物などが筐体１０の上面部１０ｃに乗っている場合には、上面部１０ｃ上にある程度の接触面積を有した状態で、操作部１４と接触する可能性が高いためである。そこで、判定部２１は、操作部１４への入力が異常な入力であると判定する。これにより、猫Ａなどが操作部１４上に居座ったり、歩いたりした場合などに起こり得る空気清浄機１の誤作動の可能性を低減させることができる。
【００７８】
なお、猫Ａなどの動物が操作部１４上を歩いた場合には、ごく短時間（例えば、０秒以上２秒以内）の間に複数の操作ボタンが押される可能性もある。そこで、図７に示すフローチャートのステップＳ３５では、複数の操作ボタンが同時に押されたか否かを判定するのではなく、所定時間内（例えば、０〜２秒以内）に操作部１４の複数の操作ボタンが順次押圧されたか否かを判定してもよい。そして、所定時間内に複数の操作ボタンが順次押された場合には、判定部２１は、ステップＳ２１における操作部１４への入力が異常な入力であると判定する（ステップＳ３６）。
【００７９】
＜第５の実施形態＞
続いて、本発明の第５の実施形態について説明する。上述した各実施形態では、本発明にかかる電気機器が空気清浄機の場合を例に挙げて説明した。しかし、本発明にかかる電気機器は、空気清浄機には限定されない。そこで、第５の実施形態では、空気清浄機以外の電気機器２０１を例に挙げて説明する。
【００８０】
図８には、第５の実施形態にかかる電気機器２０１の概略構成を示す。電気機器２０１の外形は、筐体１０で形成されている。
【００８１】
筐体１０は、前面部１０ａ、背面部１０ｂ、上面部１０ｃ、および側面部１０ｄなどで構成されている。電気機器２０１を通常の使用時の状態に設置したときに、前面部１０ａは前面（正面）側に位置し、背面部１０ｂは背面側に位置し、上面部１０ｃは上方側に位置する。前面部１０ａの上部には、人感センサなどの人検知センサ１２が設けられている。
【００８２】
人検知センサ１２は、電気機器２０１の正面（前面部１０ａ側）における人の存在の有無を検知するセンサである。なお、電気機器２０１は、人検知センサ１２の代わりに測距センサ１１２を備えていてもよい。
【００８３】
上面部１０ｃには、操作部１４が配置されている。ユーザは、操作部１４を操作することで電気機器２０１の運転状態を変更したり、電気機器２０１に対して所望とする動作を実行させたりすることができる。
【００８４】
図示はしていないが、電気機器２０１内には、制御部２０が備えられている。第１の実施形態と同様に、制御部２０内には、判定部２１、メモリ２５、およびタイマ２６などが備えられている。判定部２１は、筐体１０の正面に人がいないときに操作部１４に入力があった場合に、当該入力を異常な入力であると判定する。
【００８５】
操作部１４への入力が行われたときの制御部２０および判定部２１における処理は、第１および第２の実施形態において図３および４を参照しながら説明した方法と同様の方法が適用できる。
【００８６】
以上の構成によれば、人検知センサ１２によって筐体１０の正面に人の存在が検知されていないときに操作部１４に対して入力があった場合に、当該入力を異常な入力と判定し、その入力内容に基づく動作が実行されないように制御することができる。これにより、猫Ａなどが誤って操作部１４に触れたときの電気機器２０１の誤作動の可能性を低減させることができる。
【００８７】
電気機器２０１は、例えば、洗濯機、炊飯器、オーディオ機器、ヒータなどである。上述した構成以外の電気機器２０１の構成は、従来の各種電気機器と同様の構成が適用できる。
【００８８】
（まとめ）
本発明の一実施形態は、電気機器（例えば、空気清浄機１、空気清浄機１０１、電気機器２０１）に関する。この電気機器は、筐体１０と、筐体１０の上面部１０ｃに配置されている操作部１４と、筐体１０の所定方向における人の存在の有無を検知する検知部（例えば、人検知センサ１２、測距センサ１１２）と、前記検知部によって前記筐体の前記所定方向に人の存在が検知されていないときに前記操作部１４への入力があった場合に、当該入力を異常な入力であると判定する判定部２１とを備えている。ここで、筐体１０の所定方向とは、例えば、筐体１０の正面方向、側面方向、および背面方向のうちの少なくとの一つの方向である。また、筐体１０の所定方向には、例えば、正面方向および側面方向という複数の方向も含まれる。
【００８９】
上記の本発明の一実施形態にかかる電気機器は、検知部（例えば、人検知センサ１２、測距センサ１１２）によって筐体１０の所定方向に人の存在が検知されていないときに操作部１４に対して入力があった場合に、当該入力を無効とする制御部２０をさらに備えている。すなわち、判定部２１が操作部１４への入力が異常な入力であると判定した場合には、制御部２０は、その入力を無効とする。
【００９０】
上記の電気機器において、操作部１４は、少なくとも一つの操作ボタンを有しており、制御部２０は、操作部１４への入力があり、かつ、操作部１４の前記操作ボタンが所定時間以上押圧された場合に、当該入力を無効としてもよい。例えば、第２の実施形態のように、人検知センサ１２によって筐体１０の正面に人の存在が検知されていないときに、操作部１４への入力があり、かつ、操作部１４の操作ボタンが所定時間以上押し続けられているときには、そのときの入力内容を無効とすることができる。
【００９１】
上記の電気機器において、操作部１４は、複数の操作ボタンを有しており、制御部２０は、操作部１４への入力があり、かつ、所定時間内に操作部１４の前記複数の操作ボタンが押圧された場合に、当該入力を無効としてもよい。
【００９２】
例えば、第４の実施形態のように、人検知センサ１２によって筐体１０の正面に人の存在が検知されていないときに、操作部１４への入力があり、かつ、操作部１４の複数の操作ボタンが同時またはほぼ同じタイミングで押されたときには、そのときの入力内容を無効とすることができる。すなわち、制御部２０は、前記複数の操作ボタンが同時に押圧された場合に、当該入力を無効としてもよい。
【００９３】
上記の本発明の一実施形態にかかる電気機器は、判定部２１が異常な入力と判定したときにその旨を報知する報知部（例えば、スピーカ１５）をさらに備えていてもよい。上述の各実施形態では、判定部２１が異常な入力と判定したときには、そのときの入力内容を無効とした上で、その旨を報知している。しかし、本発明の別の態様では、判定部２１が異常な入力と判定したときに、そのときの入力内容を無効とすることなく、異常な入力が行われたことを報知部が報知する構成としてもよい。
【００９４】
上記の本発明の一実施形態にかかる電気機器において、前記検知部は、筐体１０の正面から所定距離以内の人の存在の有無を検知するものであってもよい。すなわち、前記検知部は、例えば、測距センサ１１２であってもよい。
【００９５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。また、本明細書で説明した異なる実施形態の構成を互いに組み合わせて得られる構成についても、本発明の範疇に含まれる。
【符号の説明】
【００９６】
１    ：空気清浄機（電気機器）
１０  ：筐体
１０ａ：前面部
１０ｃ：上面部
１２  ：人検知センサ（検知部）
１４  ：操作部
１５  ：スピーカ（報知部）
２０  ：制御部
２１  ：判定部
１０１：空気清浄機（電気機器）
１１２：測距センサ
２０１：電気機器
【図１】
2020021296.tif 000003
【図２】
2020021296.tif 000004
【図３】
2020021296.tif 000005
【図４】
2020021296.tif 000006
【図５】
2020021296.tif 000007
【図６】
2020021296.tif 000008
【図７】
2020021296.tif 000009
【図８】
2020021296.tif 000010